(57)【特許請求の範囲】
【請求項１】
形状が矩形環状の照明器を備え、前記照明器の構成は、その表面に複数のＬＥＤモジュールが分散して配設され、かつ前記複数のＬＥＤモジュールの照射光が照射面で交差するように配設されてなり、そして前記ＬＥＤモジュールの単体は、投影用凸レンズと、投影する長方形の照射パターンと相似形をした長方形開口部を有するガイドマスクと、ＬＥＤチップからなり、照射パターンが長方形となるものであることを特徴とする歯科用照明装置。
【請求項２】
照明器の構成が、その表面に、複数のＬＥＤモジュールが、前記照明器の外周に分散して配設されてなり、かつ、前記複数のＬＥＤモジュールは、上方と下方の上下対称グループと、左方と右方の左右対称グループに構成され、各グループ内の全てのＬＥＤモジュールは、照射光が、前記照明器から等距離の位置で交差するように配設されており、そして前記ＬＥＤモジュールの単体は、投影用凸レンズと、投影する長方形の照射パターンと相似形をした長方形開口部を有するガイドマスクと、ＬＥＤチップからなり、照射パターンが長方形となるものであり、さらに、前記照明器から前記照射光が交差するまでの距離が、前記上方と下方の上下対称グループは、７００ｍｍ、前記左方と右方の左右対称グループは、４００ｍｍで、前記グループ毎に異なる照明器を備えてなることを特徴とする歯科用照明装置。
【請求項３】
前記照明器の、複数のＬＥＤモジュールの発光用電源及び、同発光用電源電流を調節する調整器を有してなり、複数のＬＥＤモジュールの輝度を、それぞれ独立して調整できるようにしたことを特徴とする請求項１又は２に記載の歯科用照明装置。
【請求項４】
前記照明器の、ＬＥＤモジュールの発光用電源と同発光用電源電流の自動調整器及び、前記照明器に設けられた距離計測センサーを備えてなり、前記距離計測センサーにより計測した前記照明器と患者の口腔部までの距離の値に基づいて、前記発光用電源電流の自動調整器を制御し、
前記口腔部における照度が常に一定になるように、前記複数のＬＥＤモジュールの輝度を自動的に調整できるようにしたことを特徴とする請求項１〜３のいずれか１項に記載の歯科用照明装置。
【請求項５】
歯科用チェアユニットのライトアームの先端部に装着された前記照明器と、
前記ライトアーム駆動用のアクチュエーターと、同アクチュエーターの制御装置を備えてなり、
前記距離計測センサーからの信号に基づいて、前記アクチュエーターを自動的に制御して、
前記照明器と患者の口腔部までの距離を、常に一定に保つようにしたことを特徴とする請求項１〜４のいずれか１項に記載の歯科用照明装置。
【請求項６】
前記照明器の中央部に、固定の又は位置や向きが変更可能な、ミラー又はハーフミラーが配設されてなることを特徴とする請求項１〜５のいずれか１項に記載の歯科用照明装置。
【請求項７】
前記照明器の中央部に、固定の又は位置や向きが変更可能な、モニターが配設されてなることを特徴とする請求項１〜５のいずれか１項に記載の歯科用照明装置。
【請求項８】
前記照明器の中央部に、固定の又は位置や向きが変更可能な、拡大鏡が配設されてなることを特徴とする請求項１〜５のいずれか１項に記載の歯科用照明装置。
【請求項９】
前記照明器に、固定の又は位置や向きが変更可能な、カメラが配設されてなることを特徴とする請求項１〜８のいずれか１項に記載の歯科用照明装置。
【発明の詳細な説明】
【技術分野】
【０００１】
本発明は、歯科診療における口腔部の照明に関し、特に光源としてＬＥＤモジュールを利用した歯科用照明装置に関する。
【背景技術】
【０００２】
従来、光源としてＬＥＤモジュールを利用した医療用照明装置として、無影効果を持たせるために複数のＬＥＤを配置したものが開示されている。
【先行技術文献】
【特許文献】
【０００３】
【特許文献１】特開２００６−１５６０７４号公報
【発明の概要】
【発明が解決しようとする課題】
【０００４】
しかし、歯科診療中患者の口腔部を患者自身で見られるようにするために、照明器からの照射光の光路と、患者の口腔部からミラーまでの反射光の光路がほぼ同じになるように、照明器前面中央部付近にミラーを配置することが一般的になっているが、前記ミラーによって、光源からの照射光が遮られ、照度が低下するという問題点があった。
この問題を解決するため、光源としてＬＥＤモジュールを利用した歯科用照明器であれば、前記ミラーに照射光が遮られないように、ミラーの回りにＬＥＤモジュールを配置することも可能であるが、
実際の臨床では、照明器と患者の口腔部までの距離は、症例、診療方法、又は施術者の好み等により２倍近い範囲(例えば４００〜７００ｍｍ)で変化する可能性があるため、口腔部と照明装置の距離がある一定値以下又は以上になると、ＬＥＤモジュールが中央部に配置されていないので、
照射光が照射野の中央部を除く周辺部に集中し、照射野中央部の口腔部への照射光が減少し、口腔部の照度を一定に保てないという別の問題が発生していた。
本発明では上記の課題を解決する手段を提供する。
【課題を解決するための手段】
【０００５】
上記に鑑み本発明者等は鋭意実験研究の結果、下記の手段により課題を解決した。
（１）形状が矩形環状の照明器を備え、前記照明器の構成は、その表面に複数のＬＥＤモジュールが分散して配設され、かつ前記複数のＬＥＤモジュールの照射光が照射面で交差するように配設されてなり、そして前記ＬＥＤモジュールの単体は、投影用凸レンズと、投影する長方形の照射パターンと相似形をした長方形開口部を有するガイドマスクと、ＬＥＤチップからなり、照射パターンが長方形となるものであることを特徴とする歯科用照明装置。
（２）照明器の構成が、その表面に、複数のＬＥＤモジュールが、前記照明器の外周に分散して配設されてなり、かつ、前記複数のＬＥＤモジュールは、上方と下方の上下対称グループと、左方と右方の左右対称グループに構成され、各グループ内の全てのＬＥＤモジュールは、照射光が、前記照明器から等距離の位置で交差するように配設されており、そして前記ＬＥＤモジュールの単体は、投影用凸レンズと、投影する長方形の照射パターンと相似形をした長方形開口部を有するガイドマスクと、ＬＥＤチップからなり、照射パターンが長方形となるものであり、さらに、前記照明器から前記照射光が交差するまでの距離が、前記上方と下方の上下対称グループは、７００ｍｍ、前記左方と右方の左右対称グループは、４００ｍｍで、前記グループ毎に異なる照明器を備えてなることを特徴とする歯科用照明装置。
（３）前記照明器の、複数のＬＥＤモジュールの発光用電源及び、同発光用電源電流を調節する調整器を有してなり、複数のＬＥＤモジュールの輝度を、それぞれ独立して調整できるようにしたことを特徴とする前項（１）又は（２）に記載の歯科用照明装置。
（４）前記照明器の、ＬＥＤモジュールの発光用電源と同発光用電源電流の自動調整器及び、前記照明器に設けられた距離計測センサーを備えてなり、前記距離計測センサーにより計測した前記照明器と患者の口腔部までの距離の値に基づいて、前記発光用電源電流の自動調整器を制御し、前記口腔部における照度が常に一定になるように、前記複数のＬＥＤモジュールの輝度を自動的に調整できるようにしたことを特徴とする前項（１）〜（３）のいずれか１項に記載の歯科用照明装置。
【０００６】
（５）歯科用チェアユニットのライトアームの先端部に装着された前記照明器と、前記ライトアーム駆動用のアクチュエーターと、同アクチュエーターの制御装置を備えてなり、前記距離計測センサーからの信号に基づいて、前記アクチュエーターを自動的に制御して、前記照明器と患者の口腔部までの距離を、常に一定に保つようにしたことを特徴とする前項（１）〜（４）のいずれか１項に記載の歯科用照明装置。
（６）前記照明器の中央部に、固定の又は位置や向きが変更可能な、ミラー又はハーフミラーが配設されてなることを特徴とする前項（１）〜（５）のいずれか１項に記載の歯科用照明装置。
（７）前記照明器の中央部に、固定の又は位置や向きが変更可能な、モニターが配設されてなることを特徴とする前項（１）〜（５）のいずれか１項に記載の歯科用照明装置。
（８）前記照明器の中央部に、固定の又は位置や向きが変更可能な、拡大鏡が配設されてなることを特徴とする前項（１）〜（５）のいずれか１項に記載の歯科用照明装置。
（９）前記照明器に、固定の又は位置や向きが変更可能な、カメラが配設されてなることを特徴とする（１）〜（８）のいずれか１項に記載の歯科用照明装置。
【発明の効果】
【０００７】
本発明によれば次のような優れた効果を発揮することができる。
１、請求項１の発明によれば、
照明器が矩形環状であるため、患者にとって圧迫感のない優れたデザインであり、
清掃性にも非常に優れ衛生上有効である。
また、歯科用として必要十分な個数のＬＥＤモジュールを省スペースの中に効率良く配置することができ、かつ、照度を低下させること無く、照明器の中央部にミラーやモニター等を配置することができる。そして十分な無影効果が得られるため、歯科診療用として最適な照明装置を提供することができる。
また、ＬＥＤチップの光がガイドマスクの長方形開口部を通って投影用凸レンズで投影されるため、照射パターンが長方形であることから、複数のＬＥＤモジュールの分散配設を容易に行うことができる。
２、請求項２の発明によれば、
照明器の構成が、その表面に、複数のＬＥＤモジュールが、前記照明器の外周に分散して配設されてなり、かつ、前記複数のＬＥＤモジュールは、上方と下方の上下対称グループと、左方と右方の左右対称グループに構成され、各グループ内の全てのＬＥＤモジュールは、照射光が、前記照明器から等距離の位置で交差するように配設されており、そして前記ＬＥＤモジュールの単体は、投影用凸レンズと、投影する長方形の照射パターンと相似形をした長方形開口部を有するガイドマスクと、ＬＥＤチップからなり、照射パターンが長方形となるものであり、さらに、前記照明器から前記照射光が交差するまでの距離が、前記上方と下方の上下対称グループは、７００ｍｍ、前記左方と右方の左右対称グループは、４００ｍｍで、前記グループ毎に異なるため、
照度を低下させること無く、照明器の中央部にミラーやモニター等を配置することができ、
また、患者の口腔部と照明器との距離を大きく変化させた場合、(例えば４００〜７００ｍｍ)でも多数のＬＥＤモジュールを使用することなく、どの距離でも十分な照度を保つことができるとともに、十分な無影効果が得られるため、歯科診療用として最適な照明装置を提供することができる。
【０００８】
３、請求項３の発明によれば、
前記複数のＬＥＤモジュールの発光用電源及び、同発光用電源電流を調節する調整器を有してなり、前記複数のＬＥＤモジュールの輝度を、それぞれ独立して調整できるようにしたため、
患者の口腔部において常に診療に最適な照度が得られる。
例えば、比較的観察しにくい臼歯の症例では照度を上げ、比較的観察しやすい前歯の症例では照度を下げるなど、症例に応じた照度での診療が可能であり、また施術者の都合等により患者の口腔部と照明器との距離が大きくなり照度が低下したときは照度を上げ、反対に距離が小さくなり照度が上がったときは照度を下げるなどの調整が、口腔部における照度のムラを最小限に抑えた状態で行うことができる。
【０００９】
４、請求項４の発明によれば、
前記ＬＥＤモジュールの発光用電源と同発光用電源電流の自動調整器及び、前記照明器に設けられた距離計測センサーを備えてなり、前記距離計測センサーにより計測した照明器と患者の口腔部までの距離の値に基づいて、前記発光用電源電流の自動調整器を制御し、前記口腔部における照度が常に一定になるように、前記複数のＬＥＤの輝度を自動的に調整できるようにしたため、
常に診療に最適な照度を得るために必要な、照明器と患者の口腔部までの距離の情報が的確に得られとともに、施術者の都合等により患者の口腔部と照明器との距離が大きくなり照度が低下したときは自動的に照度が上がり、反対に距離が小さくなったときは自動的に照度が下がるので、施術者に負担をかけることなく常に診療に最適な照度が得られる。
【００１０】
５、請求項５の発明によれば、
歯科用チェアユニットのライトアームの先端部に装着された前記照明器と、前記ライトアーム駆動用のアクチュエーターの制御装置を備えてなり、前記距離計測センサーからの信号に基づいて、前記アクチュエーターを自動的に制御して、前記照明器と患者の口腔部までの距離を、常に一定に保つようにしたしたため、
施術者に負担をかけることなく常に診療に最適な照度が得られ、
また、前記患者が、診療姿勢変更等のため照明器と衝突することがないようにするための安全装置用としても利用することができる。
【００１１】
６、請求項６の発明によれば、
前記照明器中央部に、固定の又は位置や向きが変更可能な、ミラー又はハーフミラーが配設されてなるため、
ミラーの場合は、診療中の姿勢のまま患者の口腔部を、患者自身種々の角度で見ることができ、
また、ハーフミラーの場合は、同様に診療中の姿勢のまま患者の口腔部を、患者自身種々の角度で見ることができると共に、施術者はハーフミラーの背後から患者の状況を透視して観察することができる。
また、ミラーや、ハーフミラーが、ＬＥＤモジュールの照射光を遮り照度を低下させることもないので最適な照度での診療ができる。
さらに、飛沫が飛びやすい治療のとき等に、ミラー又ハーフミラーの位置や向きを変え、表面が飛沫で汚れないようにすることができる。
【００１２】
７、請求項７の発明によれば
前記照明器の中央部に、固定の又は位置や向きが変更可能なモニターが配設されてなるため、
診療中の姿勢のまま、モニターに表示される患者の口腔内カメラの撮影像を、患者自身種々の角度で見ることができ、インフォームドコンセントのために有用であるとともに、
モニターがＬＥＤモジュールの照射光を遮り照度を低下させることもないので最適な照度での診療ができる。
また、モニターでは患者をリラックスさせるための映像や、インフォームドコンセントのために必要な映像等を診療中の姿勢のまま患者に見てもらうことができ、患者本位の診療を行う上で大変有効である。
さらに、飛沫が飛びやすい治療のとき等に、モニターの位置や向きを変え、モニターの表面が飛沫で汚れないようにすることができる。
【００１３】
８、請求項８の発明によれば、
前記照明器の中央部に、固定の又は位置や向きが変更可能な拡大鏡が配設されてなるため、
照明装置の後ろ側から施術者が、前記拡大鏡を通して患者の口腔部を拡大して観察することができ、顕微鏡等を準備しなくても、手軽に口腔部の詳細な観察ができる。
【００１４】
９、請求項９の発明によれば、
前記照明器に固定の又は位置や向きが変更可能なカメラが配設されてなるため、
口腔内カメラを使用することなく、ハンズフリーで患者の口腔部が患者自身で見られるようにモニターに映すことができ、患者本位の診療を衛生的に、効率良く行うことができる。
さらに、照明器に取り付けられた前記カメラで取得した患者の口腔部の映像を、施術者に見やすい方向に移動させた前記モニターや、施術者が見やすい位置に配置した別のモニターに映すことにより、施術者が必要に応じて、口腔内カメラを使用することなく、ハンズフリーで患者の口腔部の映像を観察することもできるので、衛生的に、効率良く診療を行うことができる。
【図面の簡単な説明】
【００１５】
【図１】歯科診療用チェアユニットに装備された本発明の歯科用照明装置の外観斜視図。
【図２】本発明の歯科用照明器の基本を示す外観斜視図。
【図３】本発明の他の歯科用照明器の外観斜視図。
【図４ａ】ＬＥＤモジュール単体の外観斜視図。
【図４ｂ】ＬＥＤモジュール単体の分解図。
【図５】複数のＬＥＤモジュールを１グループとし、照明器からの距離が７００ｍｍの位置で照射光が交差するようにした模式図。
【図６】ＬＥＤモジュールを外側及び内側の２グループに分け、外側のグループは、照明器からの距離が４００ｍｍの位置で照射光が交差し、内側のグループは、照明器からの距離が７００ｍｍの位置で照射光が交差するようにした模式図。
【図７】図６の分解図で、内側のグループが、照明器からの距離が７００ｍｍの位置で照射光が交差するようにした模式図。
【図８】図６の分解図で外側のグループが、照明器からの距離が４００ｍｍの位置で照射光が交差するようにした模式図
【図９】複数のＬＥＤモジュールを１グループとし照明器からの距離が７００ｍｍの位置で照射光が交差するようにしたときの、４００ｍｍの距離における照度分布図。
【図１０】複数のＬＥＤモジュールを１グループとし照明器からの距離が７００ｍｍの位置で照射光が交差するようにしたときの、７００ｍｍの距離における照度分布図。
【図１１】複数個のＬＥＤモジュールを上下、左右のグループに分け、上下のグループを照明装置からの距離が７００ｍｍの位置で照射光が交差するようにし、左右のグループを照明器からの距離が４００ｍｍの位置で照射光が交差するように設定したときの、４００ｍｍの距離における照度分布図。
【図１２】複数個のＬＥＤモジュールを上下、左右のグループに分け、上下のグループを照明器からの距離が７００ｍｍの位置で照射光が交差するようにし、左右のグループを照明器からの距離が４００ｍｍの位置で照射光が交差するように設定したときの、７００ｍｍの距離における照度分布図。
【図１３】距離計測センサーを備えた歯科用照明器の外観斜視図。
【図１４】ミラーを備えた歯科用照明器の外観斜視図。
【図１５ａ】他の実施例におけるミラー使用時を示す右側面一部断面図。
【図１５ｂ】他の実施例におけるミラー不使用時を示す右側面一部断面図。
【図１６】モニターを備えた歯科用照明器の外観斜視図。
【図１７】拡大鏡を備えた歯科用照明器の外観斜視図。
【図１８】カメラ及びモニターを備えた歯科用照明器の外観斜視図。
【図１９】従来の歯科用照明器の外観斜視図。
【発明を実施するための最良の形態】
【００１６】
発明を実施するための最良の形態を以下順次説明する。
図１は、歯科診療用チェアユニットに装備された本発明の歯科用照明装置の外観斜視図である。
図において、１は歯科用照明装置、２は歯科用照明器、３はヘッドレスト部、４は背もたれ、５は座部、６はライトポール、７はライトアーム、８はライト用ブラケット、２６は歯科用チェアユニットを示す。
歯科用照明器２は、ライトアーム７の先端部のライト用ブラケット８に取付けられており、
患者（図示せず）は、チェアに仰臥あるいは座位の姿勢で、かつ口腔（図示せず）はヘッドレスト部３の位置にある。
そして照明光は、前記患者の口腔に対して歯科用照明器２から照射される。
【００１７】
図１９は、従来の歯科用照明器の外観斜視図である。
図において、９ｂは従来の筐体、１０はＬＥＤモジュール、１１ａはハンドルを示す。
従来の歯科用照明器では、従来の筐体９ｂの照射光を照射する側の前面にわたり複数個のＬＥＤモジュール１０が配設されていた。このため、照射光を遮らずに照明装置の前面に、ミラーやモニター等を配置することはできなかった。
【００１８】
図２は、本発明の歯科用照明器の基本を示す外観斜視図である。
図において９は筐体を示す。
本事例の筐体９の形状は矩形環状であり、図示したように、矩形環状９の中に、１２個のＬＥＤモジュール１０が、上下に各４個、左右に各２個配設され、かつ中央部は中空になっている。
【００１９】
ただし、ＬＥＤモジュールの数は限定されるものではなく、また、筐体が環状、円板状、方形板状、その他の形状でも、その外周にＬＥＤモジュールが複数個配設され、中央にスペース（中空でなくてもよい）があってもよい。
図３は、本発明の他の歯科用照明器の外観斜視図である。
図において、９ａは方形板状の筐体を示す。
本事例の筐体９ａの形状は図示したように、方形板状であり、その外周の周囲の前面に、１４個のＬＥＤモジュール１０が、上下に各４個、左右に各３個配設され、かつ方形板の中央部はスペースを有し、このスペースには後記モニター（１６）が設けられている。
【００２０】
次に、前記歯科用照明器の詳細について、事例の図に基づき説明する。
図４ａは、ＬＥＤモジュール単体の外観斜視図である。
図において２０は投影用凸レンズを示す。
図４ｂは、ＬＥＤモジュール単体の分解図である。
図において、２１はガイドマスク、２１ａは長方形開口部、２２はＬＥＤチップを示す。
ガイドマスク２１は、投影する照射パターンと相似形をした長方形開口部２１ａを有し、照射パターンは長方形である。
【００２１】
本事例では、図２に示すように、歯科用照明器２の外周に配設されたＬＥＤモジュール１０は、複数の１２個であり、上方に４個、下方に４個の上下対称グループと、左方に２個、右方に２個の左右対称グループに分けられている。
前記２つのＬＥＤモジュールは、２個のグループに分けられ、各グループ内の複数のモジュールは、照射光が前記歯科用照明器２から等距離で交差するように配設されており、
さらに、照明器２から照射光が交差するまでの距離が、前記グループ毎に異なるように取付けられる。
本事例では、患者の口腔部と照明器との距離を大きく変化させた場合でも、下記の所定範囲内なら適用できるように、
前記上下のグループは、歯科用照明器２からの距離は７００ｍｍで照射光が交差し、前記左右のグループは、歯科用照明器２からの距離は４００ｍｍで照射光が交差するような角度で各取付けられている。
【００２２】
次に上記におけるＬＥＤモジュールの取付け角度の設定の事例について記載する。
前記、図７及び図８の模式図参照。
照射光の交差面は、前述したように、照射光の光束の一断面は拡大された長方形であり、
かつ、同長方形が左右から傾斜角度をもって所定距離で交差するため、複雑な形状の交差面となるが、
次のような基本的な設定角度の算出と、その結果による交差面におけるムラの無い照度分布の実測値とは、実用上同一であることが知見されているので、
以下、前記、図７及び図８の模式図を参照して説明する。
【００２３】
前記、ＬＥＤモジュールの取付け角度を算出するために、前記長方形の照射パターンの中心点を交差の中心とすれば、
表現を変えると、二等辺三角形の図形として表わすことができる。
すなわち、二等辺三角形ＡＢＣの底辺の長さＢＣが、照明器固有の長さＢＣであり、
その両端に底角αでＬＥＤモジュールが取付けられ、頂角βを持つ頂点Ａが交差点に相当する。
そして、この形状から、前記底辺ＢＣの中心点迄頂点Ａから垂線をおろすと、この垂線の長さが前記照明器から照射光が交差する距離に相当する。
また、前記垂線が引かれた形状は、垂線に関して対称な、直角三角形の形をしたものである。
さらに、前記直角三角形の低辺の長さは、前記二等辺三角形の底辺の長さの半分であるから一定で既知であり、前記垂線の長さも一定で既知であり、かつ角度の一つは直角であるから、
前記三つの既知の値から、底角αすなわちＬＥＤモジュールの取付け角度は、三角関数式によって容易に算出することができる。
また、上記の手段において、図７と図８との相違は、前記換算される底辺及び垂線の長さが、それぞれ異なるだけで、基本は同じである。
なお、本事例の歯科用照明器においては、筐体の大きさに制限があるので、上記底辺の長さすなわち筐体の長さは、前記垂線すなわち照明器から照射光が交差する距離より短いものになる。
【００２４】
前記の状態を以降に順次説明する。
図５は、複数のＬＥＤモジュールを１グループとし、歯科用照明器２からの距離が７００ｍｍの位置で照射光が交差するようにした模式図であり、従来の歯科用照明器を説明するものである。
同図では、ＬＥＤモジュールの数は原理的な４個とした。
図において、１０ａ、１０ｂ、１０ｃ、１０ｄは各ＬＥＤモジュールを示す。
【００２５】
図６は、ＬＥＤモジュールを外側及び内側の、２グループに分け、外側のグループは、歯科用照明器２からの距離が４００ｍｍの位置で照射光が交差し、内側のグループは、歯科用照明器２からの距離が７００ｍｍの位置で照射光が交差するようにした模式図であり、本発明の歯科用照明装置を説明するものである。
図において、１０ａ、１０ｄは外側のグループ、１０ｂ、１０ｃは内側のグループのＬＥＤを示す。
【００２６】
図７は、図６の分解図で、内側のグループが、歯科用照明装置からの距離が７００ｍｍの位置で照射光が交差するようにした模式図で、
１０ｂ、１０ｃは内側のグループのＬＥＤモジュールを示す。
図８は、図６の分解図で外側のグループが、歯科用照明装置からの距離が４００ｍｍの位置で照射光が交差するようにした模式図で、
１０ａ、１０ｄは外側のグループのＬＥＤモジュールを示す。
【００２７】
次に、前記模式図に準ずる設定によって、実際の歯科用照明装置を用いて計測した照度分布図を以下に示す。
図９は、複数のＬＥＤモジュールを１グループとし、照明器からの距離が７００ｍｍの位置で照射光が交差するようにしたときの、４００ｍｍの距離における照度分布図で、
従来の照明器を説明するものである。
前記複数のＬＥＤモジュールは、１グループ１２個である。
図において２３、２４、２５は各等照度線を示す。
そして、点々で示される幅広い線は等照度線を表わし、線上のいずれにおいても等照度である。照度は２３が最も明るく、２３〜２５の順に次第に暗くなる。
図示したように、距離４００ｍｍにおいて、中央部は前記等照度線２４の部分によって等照度線２３の部分が、上下に２分され、照度ムラが発生していることが分かる。
【００２８】
次に図１０は、複数のＬＥＤモジュールを１グループとし、歯科用照明器からの距離が７００ｍｍの位置で照射光が交差するようにしたときの、７００ｍｍの距離における照度分布図で、図９と同様に従来の照明器を説明するものである。
複数のＬＥＤモジュールは、１２個である。
図示したように、照度は中央部が最も明るく、外側にゆくにつれて徐々に暗くなっており、理想的な照度分布であることが分かる。
このように，ＬＥＤモジュールのグループが一つで、全ての照射光が照明器から等しい距離で交差する従来の照明器では、照射光が交差する距離では理想的な照度分布を示すが、異なる距離では照度ムラ等の問題が発生することが分かる。
【００２９】
図１１は、複数個のＬＥＤモジュールを上下、左右のグループに分け、
上下のグループを照明器からの距離が７００ｍｍの位置で照射光が交差するようにし、
左右のグループを照明器からの距離が４００ｍｍの位置で照射光が交差するように設定したときの、４００ｍｍの距離における照度分布図であり、本発明の照明器を説明するものである。
全ＬＥＤモジュール数は１２個で、上下８個、左右４個の２グループである。
図示したように、２３、２４，２５の等照度線において、２３の等照度線は分割されず、照度は中央部が最も明るく、外側にゆくにつれて徐々に暗くなっており、前記図９の照度ムラは解消されている。
【００３０】
次に図１２は、複数個のＬＥＤモジュールを、上下、左右のグループに分け、
上下のグループを照明器からの距離が７００ｍｍの位置で照射光が交差するようにし、
左右のグループを照明器からの距離が４００ｍｍの位置で照射光が交差するように設定したときの、７００ｍｍの距離における照度分布図であり、本発明の歯科用照明器を説明するものである。
全ＬＥＤモジュール数は１２個で、上下８個、左右４個の２グループである。
図示したように、照度は中央部が最も明るく、外側にゆくにつれて徐々に暗くなっており、理想的な照度分布を保っている。
このように本発明の照明器では、照明器からの距離が４００から７００ｍｍの広い範囲で、照度ムラ等の問題が無く、常に診療に適した照度分布を維持できることが分かる。
【００３１】
図１３は、本発明の距離計測センサーを備えた歯科用照明器の外観斜視図である。
図において、１７は距離計測センサーを示す。
距離計測センサー１７は、中空部（図２）の中央下部に配設されており、患者の口腔部（図１参照）との距離を直線的に、例えば赤外線等で計測することができる。
この計測距離に基づき連動して前記複数のＬＥＤモジュールの駆動電流を増減し、前記複数のＬＥＤモジュールの輝度を自動的に調整することができる。
なお、距離計測センサー１７を歯科用照明器の他の場所に設置し、角度の補正を行なって計測することも可能である。
【００３２】
次に、本発明の歯科用照明器は、前記複数のＬＥＤモジュールの発光用電源及び、同発光用電源電流を調節する調整器（図示せず）を有し、前記複数のＬＥＤモジュールの輝度を、それぞれ独立して調整できるようにしている。
前記調整器による調整は、例えば、ＬＥＤモジュール駆動用定電流電源回路を内蔵したスイッチイング電源の制御回路を可変してもよく、
そして、自動調整すなわち、前記距離計測センサーの遠近の計測値と連動させて、ＬＥＤモジュールの輝度を増減させる場合は、前記距離計測値の増減を、ＬＥＤモジュールの前記制御回路の入力値に変換して、前記自動調整器を制御すればよい。
【００３３】
また、本発明の歯科用照明器２は、歯科用チェアユニット１のライトアーム７の先端部に装着されており（図１）、前記ライトアーム７駆動用の複数のアクチュエーターの、制御装置を備えている（図示せず）。
前記歯科用照明器２の位置の移動は、複数の関節部によって構成されている前記ライトアーム７（図１参照）の各関節部に、ライトアーム駆動用のアクチュエーターを配設し、同アクチュエーターの設定角度を変えることによって行なうことができる。
この設定角度の値は、予め、前記歯科用照明装置２と患者の口腔部との距離と、歯科用照明装置２の移動位置と、前記各アクチュエーターの設定角度との関係値を、コンピュータにメモリーしておき、
前記距離計測センサーからの距離信号に基づいて、前記アクチュエーターの設定角度を制御することによって、自動的に前記歯科用照明装置２と患者の口腔部までの距離を、常に一定に保つようにすることができる。
なお、前記距離の初期値の入力、及び前記制御の開始と終了は、手動又は自動で行なうことができる。
また、この機能は、前記患者が、診療姿勢変更等のため歯科用照明装置２と衝突することがないようにするための安全装置用として利用することもできる。
【００３４】
次に、前記歯科用照明器中央部に、固定の又は位置や向きが変更可能なミラー又はハーフミラーが配設されている事例を説明する。
図１４は、本発明のミラーを備えた歯科用照明器の外観斜視図である。
図において、１２はミラー 、１３は回転軸、１４は回転方向を示す。
ミラー１２は、回転軸１３によって、回転方向１４に自在に動かすことができる。
【００３５】
図１５ａは本発明の他の実施例におけるミラー使用時を示す右側面一部断面図である。
図において、１５はミラー用アームを示す。
図示したように、使用時にはミラー１２は筐体９と平行であり、患者はミラーを直視することができる。
なお、施術者はＬＥＤモジュール１０からの照射光が患者の目に入らないように照射方向を調節するので、患者は、眩しさを感ずることなく良く見ることができる。
【００３６】
図１５ｂは、本発明の他の実施例におけるミラー不使用時を示す右側面一部断面図である。
使用しないときは、ミラー１２を図のように倒すことができる。
【００３７】
前記ミラー１２に替えて、ハーフミラー１２ａ（図示せず）とする場合は、前面から見た外形、取付け位置及び回転作用等は同じであるので説明を省略する。
ただし、ハーフミラー１２ａの場合は、患者はミラーとして口腔像を見ることができ、
かつ施術者は、ハーフミラー１２ａの背後から患者の状況を透視して観察することができる。
【００３８】
図１６は、本発明のモニターを備えた歯科用照明器の外観斜視図である。
図において、１６はモニターを示す。
モニター１６は、薄型の液晶パネル等であり、前記ミラー１２（図１３）と同等の位置に配設され、後記、観察用のカメラ（図１７）等で撮像された口腔内の映像、その他を表示する。
【００３９】
図１７は、拡大鏡を備えた歯科用照明器の外観斜視図である。
図において、１８は拡大鏡を示す。
拡大鏡１８は、前記歯科用照明装置２の中央部に取付けられ、歯科用照明装置２の後ろ側から施術者が前記拡大鏡１８を通して患者の口腔部を拡大して観察することができる。
【００４０】
図１８は、本発明のカメラ及びモニターを備えた歯科用照明装置の外観斜視図である。
図において、１９はカメラを示す。
カメラ１９で撮像された口腔内の映像は、モニター１６に表示される。
また、カメラは、固定されないフリーのハンドピース状でもよく、この場合は口腔内のみでなく他の関係箇所や資料等を撮像し表示することもできる。
【符号の説明】
【００４１】
１： 歯科用照明装置
２：歯科用照明器
３：ヘッドレスト部
４：背もたれ
５：座部
６：ライトポール
７：ライトアーム
８：ライト用ブラケット
９：本発明の筐体
９ａ：方形板状の筐体
９ｂ：従来の筐体
１０：ＬＥＤモジュール
１０ａ、１０ｂ、１０ｃ、１０ｄ：ＬＥＤモジュール
１１：カバー
１１ａ：ハンドル
１２：ミラー
１２ａ：ハーフミラー
１３：回転軸
１４：回転方向
１５：ミラー用アーム
１６：モニター
１７：距離計測センサー
１８：拡大鏡
１９：カメラ
２０：投影用凸レンズ
２１：ガイドマスク
２１ａ：長方形開口部
２２：ＬＥＤチップ
２３、２４、２５：等照度線
２６：歯科用チェアユニット
【図１】
0005483252.tif 000002
【図２】
0005483252.tif 000003
【図３】
0005483252.tif 000004
【図４ａ】
0005483252.tif 000005
【図４ｂ】
0005483252.tif 000006
【図５】
0005483252.tif 000007
【図６】
0005483252.tif 000008
【図７】
0005483252.tif 000009
【図８】
0005483252.tif 000010
【図９】
0005483252.tif 000011
【図１０】
0005483252.tif 000012
【図１１】
0005483252.tif 000013
【図１２】
0005483252.tif 000014
【図１３】
0005483252.tif 000015
【図１４】
0005483252.tif 000016
【図１５ａ】
0005483252.tif 000017
【図１５ｂ】
0005483252.tif 000018
【図１６】
0005483252.tif 000019
【図１７】
0005483252.tif 000020
【図１８】
0005483252.tif 000021
【図１９】
0005483252.tif 000022